(57)【要約】【課題】アナログ電話機を公衆回線に接続して通話を行っているとき、インターネットを利用した着信があった場合、アナログ電話機でインタネットを利用した着信を確実に検知する。【解決手段】アナログ電話機２を回線切換手段５でＰＳＴＮ回線８に接続しているとき、デジタル回線１１から着信があったことデジタル回線制御手段９で検知すると、制御手段４はトーン生成手段１２に駆動信号を送る。トーン生成手段１２はデジタル回線１１から着信があったことを示すトーン信号を生成して絶縁接続手段１３を介してアナログ電話機２に送る。【選択図】    図１
2004320496.tif 000002
【特許請求の範囲】
【請求項１】
アナログ電話機を、ＰＳＴＮ回線等のアナログ回線とインターネット等のデジタル回線に接続する電話機アダプタにおいて、
回線切換手段とデジタル回線通信制御部と制御手段及びデジタル回線着信通知部を有し、
前記回線切換手段は前記アナログ電話機に接続され、前記アナログ電話機に対するアナログ回線とデジタル回線との接続を切り換え、
前記デジタル回線通信制御部はデジタル回線に接続され、デジタル回線との通信を制御するとともに前記アナログ電話機に関する制御を行い、
前記制御手段は、前記デジタル回線通信制御部でデジタル回線からの着信を検知したとき、前記回線切換手段の接続状態を確認し、前記回線切換手段で前記アナログ電話機をアナログ回線に接続している場合、前記デジタル回線着信通知部に駆動信号を送り、
前記デジタル回線着信通知部は前記制御手段から駆動信号が送られたときに、トーン信号を生成して前記アナログ電話機に通知することを特徴とする電話機アダプタ。
【請求項２】
前記デジタル回線着信通知部は、トーン信号を生成するトーン生成手段と、前記アナログ電話機と前記トーン生成手段を絶縁接続する絶縁接続手段とを有する請求項１記載の電話機アダプタ。
【請求項３】
前記デジタル回線着信通知部は、音声信号を生成する音声生成手段と、前記アナログ電話機と前記音声生成手段を絶縁接続する絶縁接続手段とを有する請求項１記載の電話機アダプタ。
【請求項４】
前記デジタル回線着信通知部は、音楽信号を生成する音楽生成手段と、前記アナログ電話機と前記音楽生成手段を絶縁接続する絶縁接続手段とを有する請求項１記載の電話機アダプタ。
【請求項５】
請求項１乃至４のいずれかに記載の電話機アダプタをアナログ電話機に接続したことを特徴とする電話装置。
【発明の詳細な説明】
【０００１】
この発明は、ＰＳＴＮ回線等のアナログ回線とインターネット等のデジタル回線にアナログ電話機を接続可能な電話機アダプタ及び電話装置に関するものである。
【０００２】
【従来の技術】
【特許文献１】特開２００１−２２３７４８号公報
近年、アナログ電話機を使用して公衆回線だけでなくインターネット等のデジタル回線を利用して通信が行われるようになり、特許文献１に示すように、電話機アダプタに回線接続切換手段を設け、必要に応じて電話機を公衆回線とインターネット等のデジタル回線のいずれかに接続するようにしている。
【０００３】
【発明が解決しようとする課題】
特許文献１に示された電話機アダプタの回線接続切換手段によりアナログ電話機を公衆回線に接続して通話を行っているとき、インターネットを利用した着信があった場合、インターネットからの着信があったことを検知することができても、その着信をアナログ電話機に通知する手段がないので、アナログ電話機に対して着信があったことを通知することができないという短所がある。
この短所を解消するために、電話機アダプタにインターネットからの着信があったことを表示や音で通知する通知手段を設けることは容易であるが、アナログ電話機を電話機アダプタから離れた場所で使用している場合、電話機アダプタにインターネットからの着信があったことを表示してもアナログ電話機の使用者は、そのことを確認することができないという短所がある。
【０００４】
この発明は、かかる短所を改善し、アナログ電話機を公衆回線に接続して通話を行っているとき、インターネットを利用した着信があった場合、アナログ電話機でインタネットを利用した着信を確実に検知することができる電話機アダプタ及び電話装置を提供することを目的とするものである。
【０００５】
【課題を解決するための手段】
この発明の電話機アダプタは、アナログ電話機を、ＰＳＴＮ回線等のアナログ回線とインターネット等のデジタル回線に接続する電話機アダプタにおいて、回線切換手段とデジタル回線通信制御部と制御手段及びデジタル回線着信通知部を有し、前記回線切換手段は前記アナログ電話機に接続され、前記アナログ電話機に対するアナログ回線とデジタル回線との接続を切り換え、前記デジタル回線通信制御部はデジタル回線に接続され、デジタル回線との通信を制御するとともに前記アナログ電話機に関する制御を行い、前記制御手段は、前記デジタル回線通信制御部でデジタル回線からの着信を検知したとき、前記回線切換手段の接続状態を確認し、前記回線切換手段で前記アナログ電話機をアナログ回線に接続している場合、前記デジタル回線着信通知部に駆動信号を送り、前記デジタル回線着信通知部は前記制御手段から駆動信号が送られたときに、トーン信号を生成して前記アナログ電話機に通知することを特徴とする。
【０００６】
前記デジタル回線着信通知部は、トーン信号を生成するトーン生成手段と、アナログ電話機とトーン生成手段を絶縁接続する絶縁接続手段とを有したり、音声信号を生成する音声生成手段と、アナログ電話機と音声生成手段を絶縁接続する絶縁接続手段とを有したり、あるいは音楽信号を生成する音楽生成手段と、アナログ電話機と音楽生成手段を絶縁接続する絶縁接続手段とを有する。
【０００７】
この発明の電話装置は、前記電話機アダプタをアナログ電話機に接続したことを特徴とする。
【０００８】
【発明の実施の形態】
図１はこの発明の電話装置の構成を示すブロック図である。図に示すように、電話装置１は、アナログ電話機２と電話機アダプタ３を有する。電話機アダプタ３は制御手段４と回線切換手段５とデジタル回線通信制御部６及びデジタル回線着信通知部７を有する。制御手段４は電話機アダプタ３の動作を制御する。回線切換手段５はアナログ電話機２に接続され、アナログ電話機２に対するＰＳＴＮ回線８とデジタル回線通信制御部６との接続を切り換える。
【０００９】
デジタル回線通信制御部６はデジタル回線制御手段９及び電話機制御手段１０を有する。デジタル回線制御手段９はインターネット回線等のデジタル回線１１に接続され網制御を行う。電話機制御手段１０は、アナログ電話機２をデジタル回線１１に接続する場合に、音声信号のＡ／Ｄ変換やＤ／Ａ変換、アナログ電話機２への直流電流供給及び擬似リンギング信号生成等のアナログ電話機２に関する制御を行う。デジタル回線着信通知部７はトーン信号生成手段１２及び絶縁接続手段１３を有する。トーン信号生成手段１２は制御手段４の駆動信号によりトーン信号を生成する。絶縁接続手段１３は、アナログ電話機２とＰＳＴＮ回線８との間の信号線とトーン信号生成手段１２を絶縁分離するとともに、トーン信号生成手段１２で生成されたトーン信号をアナログ電話機２とＰＳＴＮ回線８との間の信号線に送り出す。
【００１０】
前記のように構成した電話装置１のアナログ電話機２を使用して通信を行うときの動作を図２のフローチャートを参照して説明する。
【００１１】
アナログ電話機２で通信を開始するとき、ＰＳＴＮ回線８で通話をするかデジタル回線１１で通信を行うかのいずれかを選択する（ステップＳ１）。デジタル回線１１で通信を行うことを選択すると、回線切換手段５はアナログ電話機２をデジタル回線通信制御部６に接続してデジタル回線１１により通信を実行させる（ステップＳ２，Ｓ３，Ｓ４）。また、ＰＳＴＮ回線８を選択すると、回線切換手段５はアナログ電話機２をＰＳＴＮ回線８に接続して通話を実行させる（ステップＳ５２，Ｓ６）。このＰＳＴＮ回線８を使用して通話を行っているときに、デジタル回線１１から着信があると（ステップＳ７）、デジタル回線通信制御部６のデジタル回線制御手段９は、デジタル回線１１から着信があったことを検知し、着信検知信号を制御手段４に送る（ステップＳ８）。制御手段４はデジタル回線１１から着信があったことを示す着信検知信号を入力したとき、回線切換手段５の接続状態を確認し、回線切換手段５でアナログ電話機２をＰＳＴＮ回線８に接続しているとき、デジタル回線着信通知部７のトーン生成手段１２に駆動信号を送る。トーン生成手段１２は駆動信号が送られると、トーン信号を生成して絶縁接続手段１３に送る（ステップＳ９）。絶縁接続手段１３は、送られたトーン信号をアナログ電話機２とＰＳＴＮ回線８との間の信号線に送り出して、アナログ電話機２にデジタル回線１１から着信があったことを通知する（ステップＳ１０）。この通知を受けたアナログ電話機２の使用者はＰＳＴＮ回線８による通話を終了する（ステップＳ１１）。
【００１２】
このようにアナログ電話機２でＰＳＴＮ回線８を使用して通話しているとき、デジタル回線１１から着信があると、そのことを示すトーン信号を生成してアナログ電話機２に送ることにより、アナログ電話機２でＰＳＴＮ回線８を使用して通話中でもデジタル回線１１から着信があったことをアナログ電話機２で確実に知ることができ、使用者の利便性を向上することができる。
【００１３】
前記説明ではアナログ電話機２でＰＳＴＮ回線８を使用して通話しているとき、デジタル回線１１から着信があったことをトーン信号で通知する場合について説明したが、音声信号や音楽信号などでデジタル回線１１から着信があったことを通知しても良い。
【００１４】
【発明の効果】
この発明は以上説明したように、アナログ電話機をアナログ回線に接続しているとき、デジタル回線から着信があった場合、デジタル回線から着信があったことを示すトーン信号や音声信号あるいは音楽信号を生成してアナログ電話機に送ることにより、アナログ電話機でアナログ回線を使用して通話中でもデジタル回線から着信があったことをアナログ電話機で確実に知ることができ、使用者の利便性を向上することができる。
【００１５】
また、生成したトーン信号や音声信号あるいは音楽信号を絶縁接続手段を介してアナログ電話機に送ることにより、アナログ電話機でアナログ回線を使用して通話中でもデジタル回線から着信があったことをアナログ電話機に安定して送ることができる。
【００１６】
さらに、この電話機アダプタをアナログ電話機に接続した電話装置は、アナログ電話機でアナログ回線を使用して通話中でもデジタル回線から着信があったことをアナログ電話機で確実に知ることができ、使用者の利便性を向上することができる。
【図面の簡単な説明】
【図１】この発明の電話装置の構成を示すブロック図である。
【図２】電話装置の動作を示すフローチャートである。
【符号の説明】
１；電話装置、２；アナログ電話機、３；電話機アダプタ、４；制御手段、５；回線切換手段、６；デジタル回線通信制御部、７；デジタル回線着信通知部、８；ＰＳＴＮ回線、９；デジタル回線制御手段、１０；電話機制御手段、１１；デジタル回線、１２；トーン信号生成手段、１３；絶縁接続手段。
【図１】
2004320496.tif 000003
【図２】
2004320496.tif 000004